(57)【要約】【課題】組み立てが簡単でメンテナンス時の解体や再組み立てが容易に行え、かつ、スクリーンの必要とする引出し長さの設定が精度よく行え、スクリーンの引出し長さを細かく設定することができる映写スクリーン等のスクリーン巻取装置を提供する。【課題手段】カムドラム４に軸方向の移転及び回転が可能となるよう支持されたカムホルダー５と、カムホルダー５の軸方向の移動を許容する回転ドラム７と、回転ドラム７に同調回転できるスクリーン巻取りパイプ９と、上記スクリーン巻取りパイプ９にスクリーン巻取り運動の弾性を蓄積する巻取り弾性付与手段とで形成され、前記カムドラム４のカム溝３が、軸方向に間隔をおいて周方向に環状となる引出し溝及び巻取り溝と、この引出し溝と巻取り溝を連通させる連通溝とで形成され、この連通溝の途中に、スライドボールの回転係止溝と、この係止状態の解除を達成させる切り換え部が設けられている。【選択図】      図１
2004333603.tif 000002
【特許請求の範囲】
【請求項１】
固定配置となる支持軸に自由回転不能及び軸方向に移動不能となるよう固定され、外周面に無端状のカム溝が設けられたカムドラムと、このカムドラムに外嵌する状態で支持軸の軸方向に対して平行移動及び回転が可能となるよう支持されたカムホルダーと、上記支持軸に回転が可能で軸方向に移動不能となるよう支持され、上記カムホルダーと回転方向に一体回転し、該カムホルダーの軸方向の移動を許容するよう結合した回転ドラムと、上記カムホルダーに外嵌する配置で回転ドラムに同調回転できるように固定したスクリーン巻取りパイプと、上記カム溝へ係合するようカムホルダーでこのカムホルダーと一体に移動及び回動するよう保持されたスライドボールと、上記支持軸とスクリーン巻取りパイプの間に設けられ、スクリーン巻取りパイプのスクリーンの引出し方向の回転でスクリーン巻取りパイプに対するスクリーン巻取り運動の弾性を蓄積する巻取り弾性付与手段とで形成され、
前記カムドラムの外周面に設けた無端状のカム溝が、軸方向に間隔をおいて周方向に環状となる引出し溝及び巻取り溝と、この引出し溝と巻取り溝を連通させる連通溝とで形成され、この連通溝の途中に、スライドボールの係止によってカムホルダーをスクリーン巻取り方向に回転しないようにする回転係止溝と、この回転係止溝に対してスライドボールが係止する状態から、カムホルダーのスクリーン引出し方向の回転で上記係止状態の解除を達成させる切り換え部を設けた映写スクリーン等のスクリーン巻取装置。
【発明の詳細な説明】
【０００１】
【発明の属する技術分野】
この発明は、巻取りパイプに巻回した映写スクリーン等のスクリーンを引出した位置に固定化できると同時に、引出し位置を自由に設定することができ、スクリーンを巻取るときはスクリーンを引出して離すだけでよく、この引出しや巻き取りの動作が途中で中断されることのない映写スクリーン等のスクリーン巻取装置に関する。
【０００２】
【従来の技術】
スクリーン巻取装置は、回転が可能で巻取り弾性を蓄積する巻取りパイプにスクリーンを巻回し、使用時にスクリーンを所定長さだけ引き出し、使用後は、巻取りパイプにスクリーンを巻取るものであり、このようなスクリーン巻取装置には、引出したスクリーンを所望の位置で固定化できると共に、スクリーンを巻取る操作のときに、スクリーンの引出し長さが短くてすむという要望がある。
【０００３】
従来、このような要望に対応するスクリーン巻取装置は、固定配置となる支持軸に自由回転不能及び軸方向に移動可能となるよう取付けられ、外周面に無端状のカム溝が設けられたカムドラムと、このカムドラムに回転が可能となるよう外嵌するカムホルダーと、上記カムホルダーに外嵌して回転方向に一体回転するスクリーン巻取りパイプと、上記カム溝へ係合するようカムホルダーで定位置に保持されたスライドボールと、上記支持軸とスクリーン巻取りパイプの間に設けられ、スクリーン巻取りパイプのスクリーンの引出し方向の回転でスクリーン巻取りパイプに対するスクリーン巻取り運動の弾性を蓄積する巻取り弾性付与手段とで形成されている。
【０００４】
このスクリーン巻取装置は、スクリーン巻取りパイプの外周にスクリーンを巻回し、スクリーンを引出すと、スクリーン巻取りパイプとカムホルダー及びこのカムホルダーで保持したスライドボールが引出し方向へ一体に回転し、カム溝に嵌合しているスライドボールの回転で、カムドラムはカム溝の形状に従って軸方向に移動し、スクリーンの引出しを停止して手を離すと、巻取り弾性付与手段が蓄積した弾性で、スクリーン巻取りパイプとカムホルダー及びスライドボールが逆転し、この逆転でカムドラムのカム溝に設けた係止部がスライドボールに係合し、カムホルダーとスクリーン巻取りパイプが停止することにより、スクリーンの引出し状態が固定化される。
【０００５】
また、スクリーンを巻取るときは、スライドボールにカムドラムの係止部が係合する状態で、スクリーンを少し引出すと、スライドボールに対するカムドラムの移動で係止部はスライドボールからの係止が解け、スクリーンから手を離すとスクリーン巻取りパイプがスクリーン巻取り方向に回転し、スクリーンの全長が巻取られることになる（特許文献１参照）。
【０００６】
【特許文献１】
実用新案登録第３０７７１９４号公報（第１頁、図１乃至図５）
【０００７】
【発明が解決しようとする課題】
ところで、上記のようなスクリーン巻取装置は、支持軸に取付けたカムドラムにカムホルダーを外嵌し、このカムホルダーにスクリーン巻取りパイプを外嵌固定しているので、構造的に組み立て工程の手順が複雑となり、メンテナンス時の解体や再組み立てが行いにくいという問題がある。
【０００８】
また、上記のようなスクリーン巻取装置におけるカムドラムのカム溝は、軸方向に間隔をおいて周方向に環状となる引出し溝及び巻取り溝と、この引出し溝と巻取り溝を連通させるため、周方向に間隔をおいた戻り溝及び係止溝を設け、この係止溝の途中にスライドボールの係止部と切換え部を設けて形成された構造になっているので、戻り溝と係止溝の形成のために、周方向にスペースを確保する必要があるので、限られた外径のカムドラムの外周に、戻り溝と係止溝を周方向に複数組形成するのは困難であり、このため、戻り溝と係止溝が一組であると、スクリーンの引出し時において、スクリーンから手を離すと、スクリーン巻取りパイプは最大で略１回転程度を逆転して停止することになり、この回転分だけスクリーンが巻取られることで、スクリーンの下端は手を離した位置から大きく上昇し、スクリーンの必要とする引出し長さの設定が精度よく行えないと共に、スクリーンの引出し長さを細かく設定することができないという問題がある。
【０００９】
そこで、この発明の課題は、組み立てが簡単でメンテナンス時の解体や再組み立てが容易に行え、しかも、スクリーンの必要とする引出し長さの設定が精度よく行え、スクリーンの引出し長さを細かく設定することができる映写スクリーン等のスクリーン巻取装置を提供することにある。
【００１０】
【課題を解決するための手段】
上記のような課題を解決するため、この発明は、固定配置となる支持軸に自由回転不能及び軸方向に移動不能となるよう固定され、外周面に無端状のカム溝が設けられたカムドラムと、このカムドラムに外嵌する状態で支持軸の軸方向に対して平行移動及び回転が可能となるよう支持されたカムホルダーと、上記支持軸に回転が可能で軸方向に移動不能となるよう支持され、上記カムホルダーと回転方向に一体回転し、該カムホルダーの軸方向の移動を許容するよう結合した回転ドラムと、上記カムホルダーに外嵌する配置で回転ドラムに同調回転できるように固定したスクリーン巻取りパイプと、上記カム溝へ係合するようカムホルダーでこのカムホルダーと一体に移動及び回動するよう保持されたスライドボールと、上記支持軸とスクリーン巻取りパイプの間に設けられ、スクリーン巻取りパイプのスクリーンの引出し方向の回転でスクリーン巻取りパイプに対するスクリーン巻取り運動の弾性を蓄積する巻取り弾性付与手段とで形成され、前記カムドラムの外周面に設けた無端状のカム溝が、軸方向に間隔をおいて周方向に環状となる引出し溝及び巻取り溝と、この引出し溝と巻取り溝を連通させる連通溝とで形成され、この連通溝の途中に、スライドボールの係止によってカムホルダーをスクリーン巻取り方向に回転しないようにする回転係止溝と、この回転係止溝に対してスライドボールが係止する状態から、カムホルダーのスクリーン引出し方向の回転で上記係止状態の解除を達成させる切り換え部を設けた構成を採用したものである。
【００１１】
上記カムドラムのカム溝における連通溝は、巻取り溝から引出し溝に向けて上り傾斜となるようカムドラムの軸線に対して傾斜し、引出し溝及び巻取り溝の連通溝と導通部分は連通溝側に向けて僅かに屈曲し、引出し溝から連通溝へのスライドボールの移行及び、巻取り溝から連通溝へのスライドボールの移行が円滑に行えるようになっていると共に、この連通溝は、スライドボールの直径の二倍以上の幅を有し、上り傾斜に対する下縁側の途中に回転係止溝が設けられ、切り換え部は、連通溝の幅方向中間で回転係止溝に対して周方向前方の位置に三角形の突起として設けられている。
【００１２】
上記のように、スライドボールの引出し溝と巻取り溝間の移行が一方の連通溝によって行えるので、カムドラムの周方向に複数本の連通溝を形成することがスペース的に可能となり、連通溝の本数に比例してスクリーンの引出し長さの設定精度が向上し、かつ、スクリーンの引出し長さを細かく設定することができることになる。
【００１３】
【発明の実施の形態】
以下、この発明の実施の形態を図示例と共に説明する。
【００１４】
図１乃至図３のように、スクリーン巻取装置１は、フレーム等への取付けによって固定配置となる支持軸２の途中に、円軸状で外周面に無端状のカム溝３が設けられたカムドラム４が支持軸２に対して自由回転不能及び軸方向に移動不能となるよう径方向に貫通するピンで固定され、このカムドラム４に回転自在に外嵌する円筒状のカムホルダー５が、支持軸２の軸方向に対して平行移動及び回転が可能となるようスライダー６を介して支持軸２で支持され、上記支持軸２におけるカムドラム４の一方端部側の位置に、回転ドラム７が支持軸２に軸受８を介して回転が可能で軸方向に移動不能となるよう取り付けられている。
【００１５】
上記カムホルダー５に外嵌する長尺のスクリーン巻取りパイプ９は、支持軸２と同軸心状の配置となるよう、その端部が回転ドラム７に同調回転できるように固定され、上記したカムホルダー５のカムドラム４に外嵌する部分に設けた保持孔で、カム溝３に嵌合するスライドボール１０がカムホルダー５と一体に移動及び回動するよう保持され、更に、図示省略したが、上記支持軸２とスクリーン巻取りパイプ９の間には、スクリーン巻取りパイプ９のスクリーンの引出し方向の回転でスクリーン巻取りパイプ９に対するスクリーン巻取り運動の弾性を蓄積する巻取り弾性付与手段が設けられている。
【００１６】
上記カムホルダー５と回転ドラム７は、一方に設けたスプライン溝１１と他方に設けた突起１２により、両者は一体に回転すると共にカムホルダー５の軸方向への移動を許容するように結合され、この結合により、回転ドラム７を介してカムホルダー５とスクリーン巻取りパイプ９は一体に回転することになり、このスクリーン巻取りパイプ９は、巻取るスクリーンの幅に見合う長さを有し、スクリーン巻取りパイプ９の外周には、図示省略したが、一端を該スクリーン巻取りパイプに固定したスクリーンが巻回されることになる。
【００１７】
上記カムドラム４の外周面に設けたカム溝３は、図４のように、軸方向に所定の間隔をおいて並列し、周方向に環状となる引出し溝１３及び巻取り溝１４と、この引出し溝１３と巻取り溝１４を互いに連通させる連通溝１５とで形成され、この連通溝１５の途中に、スライドボール１０の係止によってカムホルダー５をスクリーン巻取り方向に回転しないようにする回転係止溝１６と、この回転係止溝１６に対してスライドボール１０が係止する状態から、カムホルダー５のスクリーン引出し方向の回転で上記係止状態の解除を達成させる切り換え部１７が設けられている。
【００１８】
上記カム溝３における引出し溝１３と巻取り溝１４は、スライドボール１０が嵌合する断面半円形で、図４（Ａ）の展開図のように、カムドラム４の外周面に対してそれぞれ周方向に僅かに傾斜角度をもって連続する環状となり、連通溝１５は巻取り溝１４から引出し溝１３に向けて上り傾斜となるようカムドラム４の軸線に対して傾斜状に形成され、上記引出し溝１３及び巻取り溝１４の連通溝１５と導通する部分は、連通溝１５側に向けて僅かに屈曲し、引出し溝１３から連通溝１５へのスライドボール１０の移行及び、巻取り溝１４から連通溝１５へのスライドボール１０の移行が円滑に行えるようになっていると共に、この連通溝１５の溝幅は、スライドボール１０の直径の二倍以上の幅を有し、上り傾斜に対する下縁側の途中に略半円状の回転係止溝１６が設けられ、また、切り換え部１７は、連通溝１５の幅方向中間で回転係止溝１６に対して周方向前方の位置に三角形の突起として設けられている。
【００１９】
上記引出し溝１３と連通溝１５の導通する部分は、引出し溝１３内をスライドボール１０がスクリーン引出し方向に回転するときは連通溝１５に進入することがなく、スライドボール１０がスクリーン巻取り方向に回転するときは連通溝１５に進入するように設定され、また、巻取り溝１４と連通溝１５の導通する部分は、巻取り溝１４内をスライドボール１０がスクリーン巻取り方向に回転するときは連通溝１５に進入することがなく、スライドボール１０がスクリーン引出し方向に回転するときは連通溝１５に進入するように設定されている。
【００２０】
図示の場合、連通溝１５は、カムドラムの外周面に対して周方向の二箇所の位置に１８０°の間隔の配置で設けたが、連通溝１５の数は三箇所や四箇所の位置に設けるようにしてもよく、連通溝１５の本数に比例してスクリーンの引出し長さの設定精度が向上し、かつ、スクリーンの引出し長さを細かく設定することができる。
【００２１】
上記のようなカム溝３にスライドボール１０が嵌合するカムホルダー５は、その回転によってスライドボール１０でカム溝３の形状に追従した軸方向に移動が生じることになり、カムホルダー５の軸方向の最大移動量は、引出し溝１３と巻取り溝１４の間隔になり、カムホルダー５と回転ドラム７を結合するスプライン溝１１と突起１２は、この最大移動量を許容することができるようになっている。
【００２２】
なお、図１乃至図３は、スクリーン巻取りパイプ９の一方端部側の構造のみを示し、他方端部側の構造を省略したが、この他方端部側の構造は前述した実用新案文献で提示したものと同様であり、スクリーン巻取りパイプ９の他方端部に、この他方端部を回転可能に支持する第２の支持軸を、筒状ホルダーと軸受を介して取付け、この第２の支持軸と支持軸２は同軸心状の配置となり、第２の支持軸と支持軸２をフレーム等で回転不能に支持することにより、スクリーン巻取りパイプ９は回転可能の配置となる。
【００２３】
また、上記した巻取り弾性付与手段は、スクリーン巻取りパイプ９の内部に樹脂性のばね受けをスクリーン巻取りパイプ９と一体に回転すると共に、軸方向に移動可能となるよう設け、このばね受けに一端を固定した巻きばねの他端を支持軸２に固定し、ばね受けの内部に回転可能に収納したボールと支持軸２の対向面間に、ばね受けの接近規制軸を設けて形成され、スクリーン巻取りパイプ９がスクリーンの引出し方向に回転すると、ばね受けと支持軸２の間で巻きばねが巻き締められ、スクリーン巻取りパイプ９をスクリーン巻取り方向に回転させる弾性を蓄積することになる。
【００２４】
更に、上記筒状ホルダーの内部には、第２の支持軸とスクリーン巻取りパイプ９の間に位置し、スクリーン巻取りパイプ９のスクリーン巻取り方向の回転速度を高速にならないように規制するため、油性の回転ダンパーを用いた調速機構が設けられている。
【００２５】
この発明のスクリーン巻取装置は、上記のような構成であり、次に、スクリーンの引出し及び巻取り動作を説明する。
【００２６】
先ず、スクリーン巻取りパイプ９にスクリーンの全長が巻取られた引出し始めの状態は、カムドラム４のカム溝３とカムホルダー５のスライドボール１０の関係が、図６（ａ）に示すように、巻取り溝１３内にスライドボール１０が嵌合した位相になり、カムドラム４に対してカムホルダー５が、図１のように左側に最も移動した位置にある。
【００２７】
また、図２は、引き出したスクリーンの係止時におけるカムドラム４のカム溝３とカムホルダー５のスライドボール１０の関係を示し、スライドボール１０が回転係止溝１６に係合した位相にあり、カムホルダー５はカムドラム４に対して中間に移動した位置にある。
【００２８】
図３は、引き出したスクリーンの巻取り時におけるカムドラム４のカム溝３とカムホルダー５のスライドボール１０の関係を示し、スライドボール１０が巻取り溝１４に嵌合した位相にあり、カムドラム４に対してカムホルダー５が同図のように最も右側に移動した位置にある。
【００２９】
図５乃至図８は、スクリーンの引出し始めから引出し状態の係止及び巻取りまでの、カムドラム４のカム溝３とカムホルダー５のスライドボール１０の関係を示している。なお、実際のカムドラム４とスライドボール１０の関係は、スライドボール１０がスクリーン巻取りパイプ９と一体にカムドラム４の周方向に回転し、カムドラム４は回転せずに軸方向にのみ移動するものであるが、両者の関係を理解し易くするために、図面では、カムドラム４を定位置で回転させてカム溝３の形状の変化を明確にすると共に、スライドボール１０にはカム溝３の形状の変化に追従してカムドラム４の軸方向への移動を付加して示している。
【００３０】
スクリーンの引出し始めの状態は、巻取り溝１３内にスライドボール１０が嵌合しているので、スクリーンの端部を引き下げると、スクリーン巻取りパイプ９と回転ドラム７及びカムホルダー５が、支持軸２を中心に引出し方向に回転し、カムホルダー５で保持されたスライドボール１０も同方向に回転するが、このスライドボール１０は図６（ａ）乃至図（ｃ）のように、引出し始めの状態では、環状の引出し溝１３内に嵌合しているので、この引出し溝１３内を移動することになり、スクリーン巻取りパイプ９がスクリーン引出し方向に回転し、スクリーンの必要な長さだけの引出しが自由に行えることになる。
【００３１】
このとき、スクリーン巻取りパイプ９の引出し方向の回転が巻取り弾性付与手段が、巻取り弾性を蓄積することになる。
【００３２】
スクリーンの引出しを停止すると、図６（ｄ）のように、引出し溝１３の途中でスライドボール１０が停止し、次に、スクリーンから手を離すと、巻取り弾性付与手段の弾性でスクリーン巻取りパイプ９と回転ドラム７及びカムホルダー５が、支持軸２を中心に巻取り方向に回転し、カムホルダー５で保持されたスライドボール１０も同方向に回転すると、図６（ｅ）のように、スライドボール１０は引出し溝１３から連通溝１５に進入し、回転の加わったスライドボール１０は連通溝１５の傾斜面を摺同することによって、カムドラム４の軸方向へ移動し、図６（ｆ）のように、連通溝１５に設けた回転係止溝１６に嵌まり込んで係合することにより回転停止となり、スクリーン巻取りパイプ９も同時に停止することにより、スクリーンの引出し状態が係止される。
【００３３】
また、引出したスクリーンを巻取るには、スクリーンを少し引き下げた後、スクリーンから手を離すことによって行うことができる。
【００３４】
スクリーンを少し引き下げると、スクリーン巻取りパイプ９と回転ドラム７、カムホルダー５及びスライドボール１０が引出し方向に回転することで、図６（ｇ）のように、スライドボール１０が回転係止溝１６から離脱し、回転係止溝１６の直前に位置する切り換え部１７にスライドボール１０が当接することで、スライドボール１０はカムドラム４の軸方向に沿って巻取り溝１４側へ移動し、回転係止溝１６の直前から位相がずれることになり、この状態でスクリーンの引き下げを解くと、スクリーン巻取り方向に回転が付与されているスライドボール１０は、連通溝１５の傾斜面に当接して摺動することによって、カムドラム４の軸方向に沿って巻取り溝１４側へ移動し、図６（ｈ）のように巻取り溝１４へ誘導される。
【００３５】
この巻取り溝１４は、環状になっているので、図６（ｉ）のように、この巻取り溝１４内を移動することになり、スクリーン巻取りパイプ９の巻取り方向の回転が自由になり、スクリーンの引き出されていた全長がスクリーン巻取りパイプ９に巻取られることになる。
【００３６】
上記スクリーンの巻取り完了時には、スライドボール１０が巻取り溝１４に嵌合しているが、この状態からスライドボール１０のスクリーン引出し始めへの移行は、スクリーンの引出しのために端部を引き下げればよく、図７と図８（ａ）乃至（ｄ）のように、巻取り溝１４に嵌合しているスライドボール１０はスクリーンの引出し方向に回転することで巻取り溝１４から連通溝１５へと進入し、この巻取り溝１５の回転係止溝１６と反対側の傾斜面に当接して摺動することにより、カムドラム４の軸方向に沿って引出し溝１３側へ移動し、図６（ａ）のように巻取り溝１３へ誘導されることになり、スクリーンの引き下げをそのまま連続して行えば、必要な長さだけの引出しが行えることになる。
【００３７】
【発明の効果】
以上のように、この発明によると、支持軸の途中に、円軸状で外周面に無端状のカム溝が設けられたカムドラムを固定し、このカムドラムに回転自在に外嵌する円筒状のカムホルダーと回転ドラムを一体に回転して軸方向に移動可能となるよう結合し、上記カムホルダーに外嵌する長尺のスクリーン巻取りパイプを、回転ドラムに同調回転できるように固定し、上記カムホルダーでカム溝に嵌合するスライドボール保持したので、スクリーンの引出しと巻取りを行う機構が順次嵌め合わせることによって組み立てることができ、組み立てが簡単でメンテナンス時の解体や再組み立てが容易に行えることになる。
【００３８】
また、カムドラムの外周面に設けたカム溝が、軸方向に間隔をおいて周方向に環状となる引出し溝及び巻取り溝と、この引出し溝と巻取り溝を連通させる連通溝とで形成したので、連通溝の形成のために周方向のスペースを大きく確保する必要がなく、限られた外径のカムドラムの外周に、連通溝を複数設けることが可能になり、このため、スクリーンの必要とする引出し長さの設定が精度よく行え、しかも、スクリーンの引出し長さを細かく設定することができる。
【図面の簡単な説明】
【図１】この発明に係るスクリーンの巻取装置のスクリーン巻取りパイプにスクリーンの全長が巻取られた引出し始め状態を示す縦断面図
【図２】この発明に係るスクリーン巻取装置の引出したスクリーンの係止状態を示す縦断面図
【図３】この発明に係るスクリーン巻取装置のスクリーン巻取りパイプにスクリーンを巻取る状態を示す縦断面図
【図４】（ａ）はカムドラムに設けたカム溝の展開図、（ｂ）はカムドラムのカム溝を示す正面図、（ｃ）は同上における連通溝の部分を示す正面図
【図５】カムドラムのカム溝とスライドボールの移動の関係を示す展開図
【図６】（ａ）乃至（ｉ）はカムドラムのカム溝とスライドボールの移動の関係を示す順に示す説明図。
【図７】カムドラムのカム溝とスライドボールの巻取りから引出しへの移動の関係を示す展開図
【図８】（ａ）乃至（ｄ）はカムドラムのカム溝とスライドボールの巻取りから引出しへの移動の関係を順に示す説明図
【符号の説明】
１      スクリーン巻取装置
２      支持軸
３      カム溝
４      カムドラム
５      カムホルダー
６      スライダー
７      回転ドラム
８      軸受
９      スクリーン巻取りパイプ
１０    スライドボール
１１    スプライン溝
１２    突起
１３    引出し溝
１４    巻取り溝
１５    連通溝
１６    回転係止溝
１７    切り換え部
【図１】
2004333603.tif 000003
【図２】
2004333603.tif 000004
【図３】
2004333603.tif 000005
【図４】
2004333603.tif 000006
【図５】
2004333603.tif 000007
【図６】
2004333603.tif 000008
【図７】
2004333603.tif 000009
【図８】
2004333603.tif 000010